(57)【要約】【課題】本発明は、ＡＣ電源の電圧を測定し、その測定結果に応じて異常検出条件を適切に変化させれば、多少の動作保証条件外のＡＣ電源の電圧でも異常状態の発生を防止することができると共に、実際に温度検出手段の故障が起こった場合でも適切な条件でこの異常を検出でき、二次的故障を防止することができる。【解決手段】本発明の定着ヒータ制御装置は、ＡＣ電源の電圧を測定する電圧測定手段と、定着ヒータによって加熱された定着ローラの温度を測定する温度測定手段と、温度測定手段によって測定される温度の変化を監視して異常を検出する異常検出手段とを有している。そして、電圧測定手段の測定結果に応じて異常検出手段の異常検出条件を変更する。【選択図】        図１
2004240280.tif 000002
【特許請求の範囲】
【請求項１】
定着ヒータにＡＣ電源の電圧を印加し、前記定着ヒータを加熱制御する定着ヒータ制御装置において、
前記ＡＣ電源の電圧を測定する電圧測定手段と、
前記定着ヒータによって加熱された定着ローラの温度を測定する温度測定手段と、
前記温度測定手段によって測定される温度の変化を監視して異常を検出する異常検出手段とを有し、
前記電圧測定手段の測定結果に応じて前記異常検出手段の異常検出条件を変更することを特徴とする定着ヒータ制御装置。
【請求項２】
前記異常検出手段は、所定時間の前記定着ヒータへの通電後の前記温度測定手段の測定結果と、異常判定基準温度とを比較して異常を検出し、前記電圧測定手段の測定結果に応じて前記異常検出条件である前記異常判定基準温度を変更する請求項１記載の定着ヒータ制御装置。
【請求項３】
前記電圧測定手段による測定結果の電圧が定格電圧より低いと判断された場合には、前記異常検出条件である前記異常判定基準温度を低く変更する請求項２記載の定着ヒータ制御装置。
【請求項４】
前記異常検出手段は、所定時間の前記定着ヒータへの通電後の前記温度測定手段の測定結果と、異常判定基準温度とを比較して異常を検出し、前記電圧測定手段の測定結果に応じて前記異常検出条件である前記所定時間を変更する請求項１記載の定着ヒータ制御装置。
【請求項５】
前記電圧測定手段による測定結果の電圧が定格電圧より高いと判断された場合には、前記異常検出条件である前記所定時間を短く変更する請求項４記載の定着ヒータ制御装置。
【請求項６】
請求項１〜５のいずれかに記載の定着ヒータ制御装置を有することを特徴とする画像形成装置。
【発明の詳細な説明】
【０００１】
【発明の属する技術分野】
本発明は定着ヒータ制御装置及び画像形成装置に関し、詳細には複写機、プリンタ等の画像形成装置における定着ヒータ制御とその異常検出方法に関する。
【０００２】
【従来の技術】
【特許文献１】特開平９−１０１７１８号公報
従来、定着ヒータの異常検知では、上記特許文献１のように上限値及び下限値を設定しておき、その上限値及び下限値において、機械の動作保証条件である、例えば定格マイナス１０％のＡＣ電源の電圧において異常とならないような検出条件を設定していた。そして、異常を検出すると直ちに定着ヒータへの通電を停止し、異常状態を装置内外に通報するように構成されていた。また、定着ヒータに関わる異常は安全確保上のキーポイントであるところから、ユーザが異常状態を解除できないように、解除にはサービスマンレベルの特別な操作が必要となっている場合が多い。しかし、ユーザの環境によっては電源電圧がその機械の動作保証条件を満たさない場合もあり、こういった状態が一時的なものであれば、異常とせずに、一定の条件内で動作させてダウンタイムやサービスマンの手間を減らすべきだとの声も多く聞かれる。
【０００３】
また、近年、定着ヒータの立ち上がり時間が短縮されてくるに従い、時間当たりの温度上昇率が増加して、従来の異常検出条件では異常を検出したときの定着温度が上昇し、安全上課題となる場合があった。
【０００４】
【発明が解決しようとする課題】
上述のように、定着ヒータに関する異常が検出されると、サービスマンが呼ばれ故障原因の解析を行い、原因を取り除いて異常状態を解除する必要がある。原因が一時的なＡＣ電源電圧の低下であったような場合、原因の解析は事実上不可能で、ただ単に異常状態を解除するだけにとどまる場合がある。こういった場合、ユーザにとっては機械の誤動作によってダウンタイムを招いたといった悪印象を与える可能性があった。また、温度検出手段の故障などにより異常状態が検出された場合、その故障が検出されたときには既に定着機構部の異常加熱を招いており、修理すべき部分の増加を招くことがままあった。このような点を考えると、定格ＡＣ電圧での動作を期待されている定着ヒータを、動作保証条件という、電圧の上下限で動作保証しなくてはならないため、異常検出条件も電圧の上下限で誤動作をしないように設定してあるためであることが考えられる。
【０００５】
本発明はこれらの問題点を解決するためのものであり、ＡＣ電源の電圧を測定し、その測定結果に応じて異常検出条件を適切に変化させれば、多少の動作保証条件外のＡＣ電源の電圧でも異常状態の発生を防止することができると共に、実際に温度検出手段の故障が起こった場合でも適切な条件でこの異常を検出でき、二次的故障を防止することができる定着ヒータ制御装置及び画像形成装置を提供することを目的とする。
【０００６】
【課題を解決するための手段】
前記問題点を解決するために、定着ヒータにＡＣ電源の電圧を印加し、前記定着ヒータを加熱制御する、本発明の定着ヒータ制御装置は、ＡＣ電源の電圧を測定する電圧測定手段と、定着ヒータによって加熱された定着ローラの温度を測定する温度測定手段と、温度測定手段によって測定される温度の変化を監視して異常を検出する異常検出手段とを有している。そして、電圧測定手段の測定結果に応じて異常検出手段の異常検出条件を変更することに特徴がある。よって、電圧測定手段の測定結果に応じて異常検出手段の異常検出条件を変更することにより、ＡＣ電源の電圧の変動による異常検出の誤検知を防止し、更に異常検出時の過熱を防止できるため安全性を高めることができる。
【０００７】
また、異常検出手段は、所定時間の前記定着ヒータへの通電後の温度測定手段の測定結果と異常判定基準温度とを比較して異常を検出し、電圧測定手段の測定結果に応じて異常検出条件である異常判定基準温度を変更する。よって、ＡＣ電源の電圧と温度上昇特性から適切な異常判定基準温度を設定でき、ＡＣ電源の電圧の変動による異常検出の誤検知を防止し、更に異常検出時の過熱を防止できるため安全性を高めることができる。
【０００８】
更に、電圧測定手段による測定結果の電圧が定格電圧より低いと判断された場合には、異常検出条件である異常判定基準温度を低く変更する。よって、ＡＣ電源の電圧と温度上昇特性から適切な異常判定基準温度を設定でき、ＡＣ電源の電圧の変動による異常検出の誤検知を防止し、更に異常検出時の過熱を防止できるため安全性を高めることができる。
【０００９】
また、異常検出手段は、所定時間の前記定着ヒータへの通電後の温度測定手段の測定結果と、異常判定基準温度とを比較して異常を検出し、電圧測定手段の測定結果に応じて異常検出条件である所定時間を変更する。よって、ＡＣ電源電圧と温度上昇特性から適切な所定時間を設定でき、温度測定手段が故障した場合でも、適切な通電時間で加熱を停止することができるため、異常検出時の過熱を防止でき、安全性を高めることができる。
【００１０】
更に、電圧測定手段による測定結果の電圧が定格電圧より高いと判断された場合には、異常検出条件である所定時間を短く変更することにより、適切な通電時間で加熱を停止することができるため、異常検出時の過熱を防止でき、安全性を高めることができる。
【００１１】
また、別の発明として画像形成装置は、上記記載の定着ヒータ制御装置を有することに特徴がある。よって、異常状態の発生を防止することができる画像形成装置を提供できる。
【００１２】
【発明の実施の形態】
本発明の定着ヒータ制御装置は、ＡＣ電源の電圧を測定する電圧測定手段と、定着ヒータによって加熱された定着ローラの温度を測定する温度測定手段と、温度測定手段によって測定される温度の変化を監視して異常を検出する異常検出手段とを有している。
【００１３】
【実施例】
図１は本発明の一実施例に係る定着ヒータ制御装置の構成を示すブロック図である。同図において、本実施例の定着ヒータ制御装置１００は、定着ヒータ制御手段１０１、電源電圧測定手段１０２、コントローラ１０３及び温度測定手段１０４を含んで構成されている。また、定着ヒータ制御手段１０１は、コントローラ１０３からの制御信号に応じて定着ヒータ２００へのＡＣ電源３００の供給をスイッチング制御する部分である。スイッチング素子としてＳＳＲやトライアックなどが使用されることが多い。スイッチング方式としてはゼロクロススイッチングや位相制御などの方式がある。ゼロクロススイッチングを行う場合はＡＣ電源３００のゼロクロスポイント検出手段が含まれることもある。更に、電源電圧測定手段１０２は、ＡＣ電源３００の電圧を検出し、コントローラ１０３に検出できるような信号に変換する部分である。測定方法としては実効値検出方式や平均値検出方式があるが、ＡＣ電源３００の波形は一般的に正弦波なので、回路的に簡単な平均値検出方式をとることが多い。測定値はコントローラ１０３が検出できる直流信号として出力される。この出力はリップルを含むこともある。また、温度測定手段１０４は、サーミスタという素子を用いることが多く、定着機構部近傍、主に定着ローラ表面に密接して設置され、素子の温度による抵抗値変化を電圧として取り出し、コントローラ１０３に出力する。コントローラ１０３は、温度測定手段１０４からの温度情報により、定着ヒータ２００の通電状態を制御し、また異常状態を監視する。このコントローラ１０３は、ＣＰＵ１０３−１，ＲＯＭ１０３−２，ＲＡＭ１０３−３，Ｉ／Ｏ１０３−４，タイマ１０３−５，Ａ／Ｄコンバータ１０３−６を含んで構成され、ＲＯＭ１０３−２に記憶されたプログラムにより動作を行うものである。なお、ＲＯＭ１０３−２，ＲＡＭ１０３−３，Ｉ／Ｏ１０３−４，タイマ１０３−５，Ａ／Ｄコンバータ１０３−６等はＣＰＵ１０３−１と一体化されている場合もある。コントローラ１０３は定着ヒータ２００の制御を行うだけではなく、この定着ヒータ２００が用いられたシステムの制御の一部分や全部を行う場合も多い。ここでは、温度検出手段１０４からの出力と電源電圧検出手段１０２からの出力をＡ／Ｄコンバータ１０３−６でデジタルデータ化して制御に利用している。なお、後述する異常検出手段はコントローラ１０３のＲＯＭ１０３−２に記憶されたプログラムの一部として構成されＣＰＵ１０３−１により実行される。
【００１４】
図２は本実施例の定着ヒータ制御装置における定着ヒータ制御動作を示すフローチャートである。異常検出もここに含む。定着ヒータ制御では、まず実行開始時に必要な変数の初期化、図１のＩ／Ｏ１０３−４，タイマ１０３−５，Ａ／Ｄコンバータ１０３−６等の周辺機能の初期化を含む初期化処理を実行する（ステップＳ１０１）。この処理は制御開始時の一回だけ行われる。初期化後は繰り返しの処理となる。温度測定は、Ａ／Ｄコンバータ１０３−６でデジタル化された図１の温度測定手段１０４の出力結果を取り込み、温度情報とする（ステップＳ１０２）。電源電圧測定は、Ａ／Ｄコンバータ１０３−６でデジタル化された電源電圧測定手段１０２の出力結果を取り込み、ＡＣ電源電圧情報とする（ステップＳ１０３）。定着ヒータ点灯制御は、上記温度情報と、図示しない制御指令、図示しない目標温度情報から図１の定着ヒータ２００の点灯制御を行う（ステップＳ１０４）。ここでは、過去の温度情報の履歴を利用したり、ＰＩＤ演算を利用したりしてヒータをどのように点灯・消灯するかを決定する。次に、異常検出は、複数の異常検出方法を含み、時間当たりの温度上昇値の異常や、高温になりすぎの異常等を検出し、温度測定手段１０４の故障、定着ヒータ制御手段１０１の故障などを的確に監視し、機器の安全性を確保する処理を行う（ステップＳ１０５）。
【００１５】
図３は本実施例の定着ヒータ制御装置における第１の異常検出動作を示すフローチャートである。同図において、先ず、ヒータ加熱制御開始時に（ステップＳ２０１；ＹＥＳ）図１のＡＣ電源３００の電圧を取得し、この電圧値に応じた異常判定基準温度１を選択する（ステップＳ２０２）。この選択では、ＡＣ電源３００の電圧が定格電圧より低い場合は低い異常判定基準温度を選択するようにしている。一定時間の経過後（ステップＳ２０３；ＹＥＳ）、温度測定手段１０４から得られる現在の温度と異常判定基準温度１を比較し、現在の温度が異常判定基準温度１を上回っていれば（ステップＳ２０４；ＹＥＳ）正常と判断して終了する（ステップＳ２０５）。一方、上回っていない場合は（ステップＳ２０４；ＮＯ）、異常と判断して、定着ヒータ２００をオフし（ステップＳ２０６）、詳述しない異常処理を行って異常として終了する（ステップＳ２０７，Ｓ２０８）。このように、この第１の異常検出動作は、定着温度を所定の高温まで立ち上げる際の、制御開始時点から監視を行う。立ち上げのための定着ヒータ制御を行っているにもかかわらず、温度が上昇しないことを検出し、図１の温度検出手段１０４の故障や定着ヒータ２００の断線といった故障を検出できる。ここで、ＡＣ電源３００の電圧と温度の関係を示す特性図である図４からわかるように、ＡＣ電源３００の電圧に応じて所定時間で達する定着温度が異なるため、ＡＣ電源３００の電圧に応じた異常判定基準温度を選択することにより、異常検出の誤動作を防止し、安全性を確保しながら機器の動作電圧範囲を広げられる。もし、異常判定基準温度を従来技術のように一定値にしてしまうと、異常判定基準温度としてはＡＣ電源３００の電圧が動作保証下限の場合でも異常としないような値を選ばざるを得ず、ＡＣ電源３００の電圧が高い場合は異常検出時の定着温度は高くなってしまう。これを防止しようとすると、ＡＣ電源３００の電圧が低い場合に異常検出しやすくなってしまうという不具合が発生するのである。
【００１６】
次に、図５は本実施例の定着ヒータ制御装置における第２の異常検出動作を示すフローチャートである。同図において、先ず、ヒータ加熱制御開始時に（ステップＳ３０１）図１のＡＣ電源３００の電圧を取得し、この電圧値に応じた異常判定時間１を選択する（ステップＳ３０２）。この選択では、ＡＣ電源３００の電圧が定格電圧より高い場合には短い異常判定時間を選択するようにしている。この異常判定時間１の経過後（ステップＳ３０３；ＹＥＳ）、温度測定手段１０４から得られる現在の温度と所定の異常判定基準温度１を比較し（ステップＳ３０４）、現在の温度が異常判定基準温度１を上回っていれば（ステップＳ３０４；ＹＥＳ）正常と判断して終了する（ステップＳ３０５）。一方、上回っていない場合は（ステップＳ３０４；ＮＯ）異常と判断して、定着ヒータ２００をオフし（ステップＳ３０６）、詳述しない異常処理を行って異常として終了する（ステップＳ３０７，Ｓ３０８）。このように、この第２の異常検出動作は、定着温度を所定の高温まで立ち上げる際の、制御開始時点から監視を行う。立ち上げのための定着ヒータ制御を行っているにもかかわらず、温度が上昇しないことを検出し、図１の温度検出手段１０４の故障や定着ヒータ２００の断線といった故障を検出できる。上述したように、図４からわかるように、ＡＣ電源３００の電圧に応じて所定温度に達するまでに要する時間異なるため、ＡＣ電源３００の電圧に応じた異常判定時間を選択することにより、異常検出時の定着温度到達点をより安全な温度にとどめることができるのである。もし、異常判定時間を一定値にしてしまうと、異常判定時間としてはＡＣ電源３００の電圧が動作保証下限の場合でも異常としないような値を選ばざるを得ず、ＡＣ電源３００の電圧が高い場合は異常検出時の定着温度は高くなってしまう。これを防止しようとすると、ＡＣ電源３００の電圧が低い場合に異常検出しやすくなってしまうという不具合が発生するのである。
【００１７】
図６は本実施例の定着ヒータ制御装置における第３の異常検出動作を示すフローチャートである。同図において、先ず、定着ヒータ点灯開始時に（ステップＳ４０１；ＹＥＳ）、そのときの温度検出手段１０４の出力を取得し、これを開始温度１として記憶する（ステップＳ４０２）。更に、図１のＡＣ電源３００の電圧を取得し、この電圧値に応じた異常判定基準温度２を選択する（ステップＳ４０３）。この選択では、ＡＣ電源３００の電圧が定格電圧より低い場合は低い異常判定基準温度を選択するようにしている。一定時間の経過後（ステップＳ４０４；ＹＥＳ）、温度測定手段１０４から得られる現在の温度と開始温度１の差を、異常判定基準温度２と比較し（ステップＳ４０５）、その差が異常判定基準温度２を上回っていれば（ステップＳ４０５；ＹＥＳ）正常と判断して終了する（ステップＳ４０６）。一方、上回っていない場合は（ステップＳ４０５；ＮＯ）異常と判断して、定着ヒータ２００をオフし（ステップＳ４０７）、詳述しない異常処理を行って異常として終了する（ステップＳ４０８，Ｓ４０９）。また、ステップＳ４０４で一定時間の経過前にヒータ消灯となったら（ステップＳ４０４；ＮＯ、ステップＳ４１０；ＹＥＳ）、正常に制御されているものとして正常に終了する（ステップＳ４０６）。このように、この第３の異常検出動作は、定着ヒータ点灯時間を監視し、所定の点灯時間当たりの温度上昇値を基に異常検出するもので、上述した第１，第２の異常検出動作例と併用して、所定温度まで立ち上げる際ばかりでなく、一定温度維持のための制御中の図１の温度検出手段１０４の故障や定着ヒータ２００の断線といった故障を検出できる。
【００１８】
次に、図７は本実施例の定着ヒータ制御装置における第４の異常検出動作を示すフローチャートである。同図において、先ず、定着ヒータ点灯開始時に（ステップＳ５０１；ＹＥＳ）、そのときの温度検出手段１０４の出力を取得し、これを開始温度１として記憶する（ステップＳ５０２）。更に、図１のＡＣ電源３００電圧を取得し、この電圧値に応じた異常判定時間２を選択する（ステップＳ５０３）。この選択では、ＡＣ電源３００の電圧が定格電圧より高い場合には短い異常判定時間を選択するようにしている。この異常判定時間２の経過後（ステップＳ５０４；ＹＥＳ）、温度測定手段１０４から得られる現在の温度と開始温度１の差を所定の異常判定基準温度と比較し（ステップＳ５０５）、その差が所定の異常判定基準温度を上回っていれば（ステップＳ５０５；ＹＥＳ）正常と判断して終了する（ステップＳ５０６）。一方、上回っていない場合は（ステップＳ５０５；ＮＯ）異常と判断して、定着ヒータ２００をオフし（ステップＳ５０７）、詳述しない異常処理を行って終了する（ステップＳ５０８，Ｓ５０９）。また、ステップＳ５０４で異常判定時間２の経過前にヒータ消灯となったら（ステップＳ５０４；ＮＯ、ステップＳ５１０；ＹＥＳ）、正常に制御されているものとして正常に終了する（ステップＳ５０６）。このように、この第４の異常検出動作は、定着ヒータ点灯時間を監視し、所定の点灯時間当たりの温度上昇値を基に異常検出するもので、上述した第１，第２の異常検出動作例と併用して、所定温度まで立ち上げる際ばかりでなく、一定温度維持のための制御中の図１の温度検出手段１０４の故障や定着ヒータ２００の断線といった故障を検出できる。
【００１９】
図８は別の発明の画像処理装置を適用するデジタル複写機の構成を示すブロック図である。同図に示すように、デジタル複写機１は、主に、複写機本体２と、原稿自動送り装置（以下、ＡＤＦという）３と、自動仕分け装置４とを有する。また、複写機本体２は、原稿を読み取るスキャナ部５と、書込ユニット６、エンジン部７及び給紙ユニット８を有するプリンタ部９とを含んで構成されている。更に、ＡＤＦ３は、読み取る原稿をスキャナ部５に送り、スキャナ部５で読み取った原稿を回収する。また、スキャナ部５は、光源と複数のミラーとを有するキャリッジ１０、レンズ１１及びＣＣＤ１２を有し、ＡＤＦ３で送られた原稿を走査して読み取る。書込ユニット６は、レーザ光源やポリゴンミラー等を有し、画像情報を含むレーザビーム１３をエンジン部７に出射する。エンジン部７は、画像形成ユニット１４、１次転写ユニット１５、２次転写ユニット１６及び定着ユニット１７を有する。また、画像形成ユニット１４は、感光体１８の周囲に配置された帯電チャージャ１９、シアン（Ｃ），マゼンタ（Ｍ），イエロー（Ｙ），ブラック（Ｋ）からなるカラー現像部２０及びドラムクリーニング部２１を有し、帯電チャージャ１９で帯電した感光体１８上に書込みユニット６から出射されるレーザビーム１３で静電潜像を形成し、形成した静電潜像をカラー現像部２０で可視化してトナー像を形成する。更に、１次転写ユニット１５は、中間転写ベルト２２、１次転写部２３、テンションローラ２４、２次転写ローラ２５、クリーニング部２６及び基準位置センサ２７を有し、感光体１８に形成されたトナー像を中間転写ベルト２２に１次転写して各色のトナー像を重ね合わす。中間転写ベルト２２は感光体１８上のトナー像を１次転写するとき以外は接離機構によって感光体１８表面から離れ、中間転写ベルト２２に画像を１次転写するときだけ感光体１８表面に圧接される。２次転写ユニット１６は中間転写ベルト２２に転写されたトナー像を記録紙に２次転写する。定着ユニット１７は、上記実施例の定着ヒータ制御装置により制御され、記録紙に転写されたトナー像を熱と圧力で定着する。また、給紙ユニット８は複数の給紙カセット２８ａ〜２８ｃと手差トレイ２９を有し、記録紙を２次転写ユニット１６に送る。更に、自動仕分け装置４は複数段の仕分けビン３０ａ〜３０ｎを有し、画像が形成された記録紙を仕分けして排出する。
【００２０】
なお、本発明は上記実施例に限定されるものではなく、特許請求の範囲内の記載であれば多種の変形や置換可能であることは言うまでもない。
【００２１】
【発明の効果】
以上説明したように、本発明の定着ヒータ制御装置は、ＡＣ電源の電圧を測定する電圧測定手段と、定着ヒータによって加熱された定着ローラの温度を測定する温度測定手段と、温度測定手段によって測定される温度の変化を監視して異常を検出する異常検出手段とを有している。そして、電圧測定手段の測定結果に応じて異常検出手段の異常検出条件を変更することに特徴がある。よって、電圧測定手段の測定結果に応じて異常検出手段の異常検出条件を変更することにより、ＡＣ電源の電圧の変動による異常検出の誤検知を防止し、更に異常検出時の過熱を防止できるため安全性を高めることができる。
【００２２】
また、異常検出手段は、所定時間の前記定着ヒータへの通電後の温度測定手段の測定結果と異常判定基準温度とを比較して異常を検出し、電圧測定手段の測定結果に応じて異常検出条件である異常判定基準温度を変更する。よって、ＡＣ電源の電圧と温度上昇特性から適切な異常判定基準温度を設定でき、ＡＣ電源の電圧の変動による異常検出の誤検知を防止し、更に異常検出時の過熱を防止できるため安全性を高めることができる。
【００２３】
更に、電圧測定手段による測定結果の電圧が定格電圧より低いと判断された場合には、異常検出条件である異常判定基準温度を低く変更する。よって、ＡＣ電源の電圧と温度上昇特性から適切な異常判定基準温度を設定でき、ＡＣ電源の電圧の変動による異常検出の誤検知を防止し、更に異常検出時の過熱を防止できるため安全性を高めることができる。
【００２４】
また、異常検出手段は、所定時間の前記定着ヒータへの通電後の温度測定手段の測定結果と、異常判定基準温度とを比較して異常を検出し、電圧測定手段の測定結果に応じて異常検出条件である所定時間を変更する。よって、ＡＣ電源電圧と温度上昇特性から適切な所定時間を設定でき、温度測定手段が故障した場合でも、適切な通電時間で加熱を停止することができるため、異常検出時の過熱を防止でき、安全性を高めることができる。
【００２５】
更に、電圧測定手段による測定結果の電圧が定格電圧より高いと判断された場合には、異常検出条件である所定時間を短く変更することにより、適切な通電時間で加熱を停止することができるため、異常検出時の過熱を防止でき、安全性を高めることができる。
【００２６】
また、別の発明として画像形成装置は、上記記載の定着ヒータ制御装置を有することに特徴がある。よって、異常状態の発生を防止することができる画像形成装置を提供できる。
【図面の簡単な説明】
【図１】本発明の一実施例に係る定着ヒータ制御装置の構成を示すブロック図である。
【図２】本実施例の定着ヒータ制御装置の全体動作を示すフローチャートである。
【図３】本実施例の定着ヒータ制御装置における第１の異常検出動作を示すフローチャートである。
【図４】ＡＣ電源電圧と温度の関係を示す特性図である。
【図５】本実施例の定着ヒータ制御装置における第２の異常検出動作を示すフローチャートである。
【図６】本実施例の定着ヒータ制御装置における第３の異常検出動作を示すフローチャートである。
【図７】本実施例の定着ヒータ制御装置における第４の異常検出動作を示すフローチャートである。
【図８】別の発明の画像処理装置を適用するデジタル複写機の構成を示すブロック図である。
【符号の説明】
１００；定着ヒータ制御装置、１０１；定着ヒータ制御手段、
１０２；電源電圧測定手段、１０３；コントローラ、１０４；温度測定手段、
２００；定着ヒート、３００；ＡＣ電源、４００；表示手段。
【図１】
2004240280.tif 000003
【図２】
2004240280.tif 000004
【図３】
2004240280.tif 000005
【図４】
2004240280.tif 000006
【図５】
2004240280.tif 000007
【図６】
2004240280.tif 000008
【図７】
2004240280.tif 000009
【図８】
2004240280.tif 000010